(57)【要約】      （修正有）【課題】段数の増減が可能な組立式飾り台であって、飾り台の組立作業が容易であり、飾り台にぐらつきや歪みを生じさせること無く、優れた美観を有する組立式飾り台を提供する。【解決手段】一対毎に段数の異なる二対以上の階段状に形成した側板２を備え、一対の側板を着脱自在な連結部材で所定幅で連結し、両側板間の段部の上部に天板を架設すると共に段部の前部に幕板４を架設して構成する分解可能な組立式飾り台の両側板を段数が異なる他の一対の側板に替えることにより飾り台の段数を増減可能とした。【選択図】図１
0003103704.tif 000002
【実用新案登録請求の範囲】
【請求項１】
一対毎に段数の異なる二対以上の階段状に形成した側板と、一対の側板を連結する連結部材と、側板の段部の上部に設置される天板と、側板の段部の前部に設置される幕板を備えることを特徴とする組立式飾り台セット。
【請求項２】
一対毎に段数の異なる二対以上の階段状に形成した側板を備え、一対の側板を着脱自在な連結部材で所定幅で連結し、両側板間の段部の上部に天板を架設すると共に段部の前部に幕板を架設して構成する分解可能な組立式飾り台の両側板を段数が異なる他の一対の側板に替えることにより飾り台の段数を増減可能としたことを特徴とする組立式飾り台セット。
【請求項３】
二対以上の側板のうち一対の側板は段数が一の側板であることを特徴とする請求項１又は２に記載の組立式飾り台セット。
【請求項４】
天板及び幕板は二対以上の側板のうち最大の段数を有する側板の段数分の枚数を夫々備えていることを特徴とする請求項１乃至３のうち何れか一項に記載の組立式飾り台セット。
【請求項５】
組立式飾り台は雛壇であることを特徴とする請求項１乃至４のうち何れか一項に記載の組立式飾り台セット。
【考案の詳細な説明】
【技術分野】
【０００１】
本考案は組立式飾り台セットに関し、特に段の増減が可能な組立式飾り台セットに関する。
【背景技術】
【０００２】
従来から人形やその他の装飾品を一段或いは複数段の飾り台に飾ることが行われている。特に古来より日本では上巳の節句には女子の健康を願い、雛人形を飾る習慣が受け継がれている。そして、今日の雛人形セットには内裏様とお雛様で構成されるもの、これに三人官女を加えたもの、更に五人囃子を加えたもの等多数の人形を備え、更に屏風、雪洞、茶道具、お花、家具等の飾り物を適宜備えたものが提供されている。そして、内裏様とお雛様のほかにも人形を備え、三体以上の人形及び様々な飾り物からなる雛人形セットを飾る手段として組立式の階段状の飾り台である雛壇が用いられており、飾る人形及び飾り物の数に応じて適宜一段又は三段、五段、七段等の複数段の構成となっている。
【０００３】
この複数段の組立式の雛壇は階段状に構成された左右二枚で一対の側板と、一対の側板を連結支持する適宜数の連結部材と、側板間に水平状態で掛け渡した複数の天板と、側板間に垂直状態で掛け渡した複数の幕板から構成されている。そして、側板は雛壇の段数に応じた段部を備えて一体に形成されている。
【０００４】
このような一体形成された側板を一対備えた雛段は、例えば子供が成長した或いは飾るスペースを取れなくなった等の理由から内裏雛のみを飾りたいといったような事情の変化により段数を減少或いは増加することができず、不便であった。
【０００５】
そこで、側板を組立式にして、段数の増減が可能な雛壇が提案されている（特許文献１参照。）。しかし、側板を組立式にした場合、雛壇の組立作業が煩雑であるという欠点がある。又、雛壇の強度が低下し、雛壇にぐらつきや歪みが生じるという問題点もあった。更に、側板を構成する部材同士の接合部には溝、隙間等が現れて著しく美観が損なわれるといった欠点も有していた。
【０００６】
【特許文献１】特開２００３−１６９７４５
【考案の開示】
【考案が解決しようとする課題】
【０００７】
そこで、本考案は上記従来技術の欠点を解決し、段数の増減が可能な組立式飾り台であって、飾り台の組立作業が容易であり、飾り台にぐらつきや歪みを生じさせること無く、優れた美観を有する組立式飾り台を提供することを目的とする。
【課題を解決するための手段】
【０００８】
上記課題を解決するための手段として本考案の請求項１において、一対毎に段数の異なる二対以上の階段状に形成した側板と、一対の側板を連結する連結部材と、側板の段部の上部に設置される天板と、側板の段部の前部に設置される幕板を備えることを特徴とする組立式飾り台セットを提供する。
【０００９】
又、請求項２において、一対毎に段数の異なる二対以上の階段状に形成した側板を備え、一対の側板を着脱自在な連結部材で所定幅で連結し、両側板間の段部の上部に天板を架設すると共に段部の前部に幕板を架設して構成する分解可能な組立式飾り台の両側板を段数が異なる他の一対の側板に替えることにより飾り台の段数を増減可能としたことを特徴とする組立式飾り台セットを提供する。
【００１０】
又、請求項３において、二対以上の側板のうち一対の側板は段数が一の側板であることを特徴とする請求項１又は２に記載の組立式飾り台セットを提供する。
【００１１】
又、請求項４において、天板及び幕板は二対以上の側板のうち最大の段数を有する側板の段数分の枚数を夫々備えていることを特徴とする請求項１乃至３のうち何れか一項に記載の組立式飾り台セットを提供する。
【００１２】
又、請求項５において、組立式飾り台は雛壇であることを特徴とする請求項１乃至４のうち何れか一項に記載の組立式飾り台セットを提供する。
【考案の効果】
【００１３】
本願考案によれば、段数の増減が可能な組立式飾り台であって、飾り台の組立作業が容易であり、飾り台にぐらつきや歪みを生じさせること無く、優れた美観を有する組立式飾り台を提供することが可能となった。
【考案を実施するための最良の形態】
【００１４】
以下本考案を図に従って詳細に説明する。組立式飾り台セットは一対毎に段数の異なる二対以上の階段状に形成した側板２，２…、天板３，３…、幕板４，４…、連結部材５，５…を備え、組立式飾り台組立時に側板２，２は連結部材５，５…で平行に連結され、天板３，３…及び幕板４，４…は側板２，２間に架設されている。側板は同形状の左右二枚の側板２，２で一対をなし、側板２は一枚板、合板、フラッシュ板等で一体に形成されている。天板３及び幕板４は複数対の側板２，２…のうち最大段数を有する側板２の段数分の枚数を夫々備えている。連結部材５は特に限定されないが、飾り台の安定のために少なくとも３組以上備えることが望ましい。
【００１５】
側板２には、連結部材５のボルト５２を挿通するための貫通孔２９を一対毎に夫々左右の側板２，２同士対応する適宜位置に二個以上設け、階段状に形成した側板２の段部７は上部である水平端２７及び前部である垂直端２８を備えている。連結部材５は両端にボルト５２，５２を設けた円柱や角柱形状等の支柱５１とナット５３，５３で構成されている。ナット５３は素手で締結可能なように多角柱の合成樹脂製のカバーに金属製のナットを嵌合して構成している。尚、連結部材５は支柱５１の両端にねじ孔を設け、側板２の貫通孔２９を貫通して該ねじ孔に螺入される蝶ねじ等の頭つきねじで構成してもよく、又、支柱５１の両端にダボを設ける構成として、側板２には貫通孔２９に替えてダボ穴を設けてもよい。
【００１６】
本実施の形態では図１及び図２に示すように、側板２として段数の異なる即ち、段部７の数の異なる二対の側板２１，２１，２２，２２、天板３として三枚の天板３１，３２，３３、幕板４として三枚の幕板４１，４２，４３、三個の連結部材５，５，５を備えている。
【００１７】
複数段用の側板２１の最上段の水平端２７１は他段の水平端２７より奥行きを長く形成し、最下段の垂直端２８１は他段の垂直端２８より高さを高く形成している。側板２，２間の幅は連結部材５の支柱５１の長さにより決定され、所定幅で平行に保持されている。天板３は側板２，２間の幅以上の横幅を有し、水平端２７以上の奥行きを有し、最上段用の天板３１は他段用の天板３２，３３より奥行き幅を広く形成している。幕板４は側板２，２間の幅以上で天板３の幅以下の横幅を有し、垂直端２８と同等の高さを有し、最下段用の幕板４１は他段用の幕板４２，４３より高さを高く形成している。
【００１８】
尚、複数段用の側板２１の各水平端２７，２７…の奥行き、各垂直端２８，２８…の高さは総て同等或いは適宜に変更して形成してもよい。又、天板３と幕板４を同等の横幅に形成し、或いは天板３より幕板４の横幅を長く形成してもよい。又、最下段用の幕板４１の下部には、幕板４１の安定性、美観の向上のため天板３と同等の幅の下縁部４１１を設けることは望ましい。
【００１９】
天板３と幕板４はダボ及びダボ穴を何れかに設ける等して着脱自在に結合することとしてもよく、又、最下段用の幕板４１及び最上段用の天板３１を除いて、天板３と幕板４を蝶番で回動自在に枢支することとしてもよい。又、側板２と天板３又は／及び幕板４をダボ及びダボ穴を何れかに設ける等して着脱自在に結合することとしてもよい。
【００２０】
図１及び２に図示している組立式飾り台セットの形態では側板２として三段の飾り台用の段部７の数が三の側板２１，２１及び一段の飾り台用の段部７の数が一の側板２２，２２を備えている。勿論階段状に形成した側板２の段数は一段及び三段に限定されず、他の段数を有する二対の側板２，２…としてもよく、又、二対に限定されることなく三対以上の異なる段数を有する側板２，２…を備えることとしてもよい。尚、飾り台を最少の大きさにすることが可能なように、少なくとも一対の側板２，２は一段の段部７を有する側板２２，２２とすることは推奨される。
【００２１】
組立式飾り台の組立は、適宜数の連結部材５，５…の夫々の支柱５１両端のボルト５２，５２を夫々両側板２，２の貫通孔２９，２９に内側から挿通して側板２，２の外側でナット５３，５３で締結し側板２，２を平行に所定幅で連結し、幕板４を側板２の垂直端２８に接触させると共に水平端２７上に垂直に載置して側板２，２間に架設し、天板３は側板２の水平端２７上及び幕板４上に水平に載置して側板２，２間に架設して組み立てられる。総ての幕板４は天板３で側板２の水平端２７に押圧され、挟持されると共に、二段目以上の幕板４は天板３で側板２の垂直端２８に押圧され、挟持される。
【００２２】
図１は本考案組立式飾り台セットを用いて飾り台１１を組み立てた一例を示すものであり、三段の飾り台用の即ち段数が三の階段状の側板２１を選択使用し、三段の飾り台１１を形成している。側板２１は三面の水平端２７，２７，２７と三面の垂直端２８，２８，２８を備え、下部両端及び上部に貫通孔２９，２９，２９を穿孔している。飾り台１１は側板２１，２１、三個の連結部材５，５，５、三枚の天板３１，３２，３３及び三枚の幕板４１，４２，４３を用いて上述のように組み立てられている。
【００２３】
図２は本考案組立式飾り台セットを用いて飾り台１２を組み立てた一例を示すものであり、方形の一段の飾り台用の即ち段数が一の階段状の側板２２を選択使用し、一段の飾り台１２を形成している。側板２２は一面の水平端２７と一面の垂直端２８を備え、両側端部に貫通孔２９，２９を穿孔している。飾り台１２は側板２２，２２、２個の連結部材５，５、複数段の飾り台１１で最上段に使用した一枚の天板３１及び複数段の飾り台１１で最下段に使用した一枚の幕板４１を用いて上述のように組み立てられている。
【００２４】
このように二対以上の一対毎に異なる段数を有する階段状の側板２，２…を適宜数対備えることにより一組の組立式飾り台セットで様々な段数の飾り台を構成することが可能となる。
【００２５】
組立式飾り台は雛人形セットを飾る雛壇や五月人形セットを飾る飾り台、その他人形や各種装飾品を飾る台等として用いることが可能である。
【図面の簡単な説明】
【００２６】
【図１】本考案一実施例組立状態の一例を示す斜視図
【図２】本考案一実施例組立状態の他の例を示す斜視図
【図３】本考案一実施例組立状態の一例を示す側面図
【図４】本考案一実施例部分分解図
【符号の説明】
【００２７】
１１  三段の飾り台
１２  一段の飾り台
２    側板
２１  三段の飾り台用側板
２２  一段の飾り台用側板
２７  水平端
２８  垂直端
３    天板
４    幕板
５    連結部材
７    段部
【図１】
0003103704.tif 000003
【図２】
0003103704.tif 000004
【図３】
0003103704.tif 000005
【図４】
0003103704.tif 000006